(57)【要約】【課題】雰囲気温度によって液晶表示パネルに凹反りまたは凸反りが生じた場合でも、良好な表示品位であるとともに、従来と同等の厚さの液晶表示装置を提供することを目的とする。【解決手段】液晶表示装置は、液晶表示パネル１と、液晶表示パネル１を前面側から保持するフロントフレーム２と、液晶表示パネル１を裏面側から保持し、かつ、当該保持を行う保持面に液晶表示パネル１の裏面の一部を受ける複数のパネル受け部４を有するミドルフレーム３とを備えている。ミドルフレーム３の保持面において、液晶表示パネル１に凹反りまたは凸反りが生じた際に液晶表示パネル１と当接する当接部であるモールドフレーム部３ｃは、複数のパネル受け部４よりも低い高さに形成されている。【選択図】図１
2014085558.tif 000002
【特許請求の範囲】
【請求項１】
液晶表示パネルと、
前記液晶表示パネルを前面側から保持する第１フレームと、
前記液晶表示パネルを裏面側から保持し、かつ、当該保持を行う保持面に前記液晶表示パネルの裏面の一部を受ける複数のパネル受け部を有する第２フレームとを備え、
前記第２フレームの前記保持面において、前記液晶表示パネルに凹反りまたは凸反りが生じた際に前記液晶表示パネルと当接する当接部は、前記複数のパネル受け部よりも低い高さに形成された、液晶表示装置。
【請求項２】
前記複数のパネル受け部は、前記液晶表示パネルを４つの長方形に分割したそれぞれの長方形の各重心位置が前記液晶表示パネルの表示領域に含まれない場合、各前記重心位置に対応する前記第２フレームの前記保持面上の位置の周辺領域に形成され、各前記重心位置が前記表示領域に含まれる場合、各前記重心位置から近接する前記液晶表示パネルの辺まで延ばした垂直線上における前記表示領域の外周部に対応する前記第２フレームの前記保持面上の位置の周辺領域に形成された、請求項１記載の液晶表示装置。
【請求項３】
前記当接部において、前記第２フレームの長辺側の領域よりも前記第２フレームの短辺側の領域の方が低い高さに形成された、請求項１または請求項２記載の液晶表示装置。
【請求項４】
前記複数のパネル受け部の先端部は、曲面を含む形状に形成された、請求項１〜３のいずれか１つに記載の液晶表示装置。
【請求項５】
前記複数のパネル受け部の先端は、平坦面に形成された、請求項１〜３のいずれか１つに記載の液晶表示装置。
【請求項６】
前記複数のパネル受け部は、弾性部材により構成された、請求項１〜５のいずれか１つに記載の液晶表示装置。
【請求項７】
前記液晶表示パネルにおいて、前記複数のパネル受け部と相対する位置に緩衝部材が配置された、請求項１〜６のいずれか１つに記載の液晶表示装置。
【発明の詳細な説明】
【技術分野】
【０００１】
本発明は、特に液晶表示パネルの反りによる表示品位の低下を緩和した、液晶表示パネルの保持構造を有する液晶表示装置に関するものである。
【背景技術】
【０００２】
液晶表示装置は、一対の基板とこれら一対の基板を挟むように設けられた偏光板などからなる液晶表示パネルと、金属などにより形成されるフロントフレームと、導光板と光学シートとミドルフレームなどにより構成される面状光源装置とから構成されている。従来の液晶表示装置は、面状光源装置の構成部材であるミドルフレームが略平面状に形成され、ミドルフレームとフロントフレームとで液晶表示パネルを挟む構造になっている（例えば、特許文献１，２参照）。
【０００３】
また、近年の液晶表示装置は、用途によっては広範囲の雰囲気温度で使用され、いずれの雰囲気温度でも良好な表示品位が求められるとともに、液晶表示装置自体の軽量薄型化の傾向にある。
【先行技術文献】
【特許文献】
【０００４】
【特許文献１】特開２０１０−８５６３８号公報
【特許文献２】特開２００５−９１６６８号公報
【発明の概要】
【発明が解決しようとする課題】
【０００５】
しかしながら、複数の部材により構成される液晶表示パネルは、雰囲気温度によって表示面に対して凹凸両方の反りが生じることがあり、従来の液晶表示装置の構造では、液晶表示パネルが大きく反った場合に、液晶表示パネルがフロントフレームおよびミドルフレームと干渉し表示品位が低下するという問題があった。
【０００６】
また、特許文献１には、液晶表示パネルの四隅にあたる位置に突起を設けたミドルフレーム構造が開示され、特許文献２には、フロントフレームおよびミドルフレームに弾性スペーサを設けた構造が開示されている。しかし、いずれの構造も一方向の液晶表示パネルの反り方向に対しては表示品位の低下を緩和する効果が得られたとしても、反対方向の反りに対しては表示品位の低下を緩和することはできない。
【０００７】
そこで、本発明は、雰囲気温度によって液晶表示パネルに凹反りまたは凸反りが生じた場合でも、良好な表示品位であるとともに、従来と同等の厚さの液晶表示装置を提供することを目的とする。
【課題を解決するための手段】
【０００８】
本発明に係る液晶表示装置は、液晶表示パネルと、前記液晶表示パネルを前面側から保持する第１フレームと、前記液晶表示パネルを裏面側から保持し、かつ、当該保持を行う保持面に前記液晶表示パネルの裏面の一部を受ける複数のパネル受け部を有する第２フレームとを備え、前記第２フレームの前記保持面において、前記液晶表示パネルに凹反りまたは凸反りが生じた際に前記液晶表示パネルと当接する当接部は、前記複数のパネル受け部よりも低い高さに形成されたものである。
【発明の効果】
【０００９】
本発明によれば、液晶表示装置は、第２フレームの保持面において、液晶表示パネルに凹反りまたは凸反りが生じた際に液晶表示パネルと当接する当接部は、複数のパネル受け部よりも低い高さに形成されたため、液晶表示パネルの凹凸両方の反りに対しても液晶表示パネルと、第１フレームおよび第２フレームとの干渉が低減され、第１フレームおよび第２フレームから液晶表示パネルに掛かる応力が低減される。これにより、表示品位の低下を緩和することができる。
【００１０】
また、第２フレームにおいて当接部を複数のパネル受け部よりも低い高さに形成するだけで、表示品位の低下の緩和を図ることができるため、従来と同等の厚さの液晶表示装置を実現できる。
【図面の簡単な説明】
【００１１】
【図１】（ａ）実施の形態１に係る液晶表示装置の表示領域外の断面図である。（ｂ）液晶表示パネルが凸反りした状態での液晶表示装置の表示領域外の断面図である。（ｃ）液晶表示パネルが凹反りした状態での液晶表示装置の表示領域外の断面図である。
【図２】実施の形態１に係る液晶表示装置のミドルフレームの平面図である。
【図３】（ａ）実施の形態１に係る液晶表示装置の他の例である液晶表示装置の表示領域外の断面図である。（ｂ）液晶表示パネルが凸反りした状態での液晶表示装置の表示領域外の断面図である。（ｃ）液晶表示パネルが凹反りした状態での液晶表示装置の表示領域外の断面図である。
【図４】実施の形態１の変形例に係る液晶表示装置の液晶表示パネルとミドルフレームの平面図である。
【図５】実施の形態１の変形例に係る液晶表示装置のミドルフレームの平面図である。
【図６】実施の形態１の変形例に係る液晶表示装置の他の例である液晶表示装置の液晶表示パネルとミドルフレームの平面図である。
【図７】実施の形態２に係る液晶表示装置の表示領域外の要部断面図である。
【図８】実施の形態２に係る液晶表示装置の他の例である液晶表示装置の表示領域外の要部断面図である。
【図９】実施の形態２に係る液晶表示装置の他の例である液晶表示装置の表示領域外の要部断面図である。
【図１０】実施の形態２に係る液晶表示装置の他の例である液晶表示装置の表示領域外の要部断面図である。
【図１１】実施の形態３に係る液晶表示装置の表示領域外の要部断面図である。
【図１２】実施の形態３に係る液晶表示装置の他の例である液晶表示装置の表示領域外の要部断面図である。
【図１３】（ａ）従来の液晶表示装置の表示領域外の断面図である。（ｂ）液晶表示パネルが凸反りした状態での液晶表示装置の表示領域外の断面図である。（ｃ）液晶表示パネルが凹反りした状態での液晶表示装置の表示領域外の断面図である。
【発明を実施するための形態】
【００１２】
＜実施の形態１＞
本発明の実施の形態１について、図面を用いて以下に説明する。図１（ａ）は、本発明の実施の形態１に係る液晶表示装置の表示領域外の断面図であり、図１（ｂ）は、液晶表示パネルが凸反りした状態での液晶表示装置の表示領域外の断面図であり、図１（ｃ）は、液晶表示パネルが凹反りした状態での液晶表示装置の表示領域外の断面図である。
【００１３】
図１（ａ）〜（ｃ）に示すように、液晶表示装置は、液晶表示パネル１と、フロントフレーム２（第１フレーム）と、ミドルフレーム３（第２フレーム）とを備えている。液晶表示パネル１は、一対のカラーフィルタ基板１３（図４参照）およびＴＦＴアレイ基板１４（図４参照）とこれら一対の基板１３，１４を挟むようにして設けられた偏光板（図示省略）などにより構成され、例えば平面視にて長方形状に形成されている。
【００１４】
フロントフレーム２は、金属製材料または樹脂製材料により平面視にて長方形状に形成されている。フロントフレーム２は、平板部２ａと枠状の側板部２ｂとで構成され、液晶表示パネル１側に開放する凹状空間を有する。ミドルフレーム３は、金属製材料または樹脂製材料により平面視にて長方形状に形成されている。ミドルフレーム３は、平板部３ａと枠状の側板部３ｂとで構成され、液晶表示パネル１側に開放する凹状空間を有する。
【００１５】
液晶表示装置は、フロントフレーム２の平板部２ａの裏面と液晶表示パネル１の前面との間に所定距離の隙間を設けたうえ、フロントフレーム２とミドルフレーム３とで液晶表示パネル１を挟む構造になっている。
【００１６】
液晶表示パネル１は、ミドルフレーム３の平板部３ａにおいて液晶表示パネル１の保持を行う保持面（前面）に配置され、フロントフレーム２の平板部２ａの保持面（裏面）における内周部がミドルフレーム３の側板部３ｂの前端に固定されることで、ミドルフレーム３が液晶表示パネル１を裏面側から保持するとともに、フロントフレーム２が液晶表示パネル１を前面側から保持している。
【００１７】
ミドルフレーム３の平板部３ａにおいて保持面には、液晶表示パネル１の裏面の一部を受ける複数（例えば４つ）のパネル受け部４が形成されている。複数のパネル受け部４はミドルフレーム３と一体的にかつ突起状に形成され、その先端部は曲面を含む形状に形成されている。
【００１８】
次に、図２を用いて、ミドルフレーム３に形成された複数のパネル受け部４について説明する。図２は、ミドルフレーム３の平面図である。なお、図２ではミドルフレーム３の側板部３ｂは省略されている。複数のパネル受け部４は、液晶表示パネル１を４つの長方形に分割したそれぞれの長方形の各重心位置Ｇが液晶表示パネル１の表示領域１０に含まれない場合、各重心位置Ｇに対応するミドルフレーム３の平板部３ａ上の位置の周辺領域に形成される。また、複数のパネル受け部４は、各重心位置Ｇが液晶表示パネル１の表示領域１０に含まれる場合、各重心位置Ｇから近接する液晶表示パネル１の辺まで延ばした垂直線上（すなわち、図２の１点鎖線で示す４等分線上）における表示領域１０の外周部に対応するミドルフレーム３上の位置の周辺領域１１に形成される。
【００１９】
ここで、図２は、各重心位置Ｇが液晶表示パネル１の表示領域１０に含まれる場合を示す図である。このため、各パネル受け部４は、各重心位置Ｇから近接する液晶表示パネル１の辺まで延ばした垂直線上における液晶表示パネル１の表示領域１０の外周部に対応するミドルフレーム３上の位置の周辺領域１１にそれぞれ形成されている。なお、各重心位置Ｇが液晶表示パネル１の表示領域１０に含まれない場合については説明を省略するが、以下説明する各重心位置Ｇが液晶表示パネル１の表示領域１０に含まれる場合と同様の効果を奏する。
【００２０】
複数のパネル受け部４が上記の位置に形成されたことにより、図１（ｂ），（ｃ）に示すように、ミドルフレーム３の平板部３ａにおいて、液晶表示パネル１に凹反りおよび凸反りが生じた際に液晶表示パネル１と当接する当接部であるモールドフレーム部３ｃ（より具体的には、平板部３ａの保持面における四隅の周辺領域を含む四辺の周辺領域）は、複数のパネル受け部４よりも低い高さとなっている。ここで、凹反りの場合は平板部３ａの保持面における四隅の周辺領域が液晶表示パネル１と当接し、凸反りの場合は平板部３ａの保持面における四辺の周辺領域、特に四辺の中央部の周辺領域が液晶表示パネル１と当接する。
【００２１】
次に、実施の形態１に係る液晶表示装置について、パネル受け部４を設けない従来の液晶表示装置と比較して説明する。図１３（ａ）は、従来の液晶表示装置の表示領域外の断面図であり、図１３（ｂ）は、液晶表示パネル１が凸反りした状態での従来の液晶表示装置の表示領域外の断面図であり、図１３（ｃ）は、液晶表示パネル１が凹反りした状態での従来の液晶表示装置の表示領域外の断面図である。なお、従来の液晶表示装置において、実施の形態１で説明したものと同一の構成要素については同一符号を付して説明は省略する。
【００２２】
最初に、従来の液晶表示装置について説明する。従来の液晶表示装置において、ミドルフレーム５０は、金属製材料または樹脂製材料により平面視にて長方形状に形成され、平板部５０ａと枠状の側板部５０ｂとで構成されている。ミドルフレーム５０の平板部５０ａの保持面は略平面状に形成され、従来の液晶表示装置は、フロントフレーム２の平板部２ａの裏面と液晶表示パネル１の前面との間に所定距離の隙間を設けたうえ、フロントフレーム２とミドルフレーム５０とで液晶表示パネル１を挟む構造になっている。
【００２３】
液晶表示装置を構成する部材は、個々の部材で僅かな反りおよび変形があり、モジュール化することで液晶表示パネル１はその一部において、フロントフレーム２およびミドルフレーム５０と干渉することは免れないため、上記の所定距離の隙間を設けることで、常温雰囲気温度における液晶表示パネル１と、フロントフレーム２およびミドルフレーム５０の干渉による表示ムラの発生を緩和する構造となっている。液晶表示装置が広範囲の雰囲気温度で使用される場合、液晶表示パネル１が所定距離の隙間では表示品位が低下する（表示ムラが発生する）程の大きな反りが発生することがある。
【００２４】
図１３（ｂ），（ｃ）において液晶表示パネル１の破線部分は、液晶表示パネル１に大きな反りが発生し、表示面（前面）側に大きく凸反りした液晶表示パネル１と、大きく凹反りした液晶表示パネル１が、フロントフレーム２およびミドルフレーム５０と干渉していることを示している。フロントフレーム２およびミドルフレーム５０から、干渉する反り量の分だけ液晶表示パネル１に応力が掛かることで表示品位が低下する（すなわち、表示ムラが発生する）。
【００２５】
これに対して、図１（ａ）〜（ｃ）に示すように、実施の形態１に係る液晶表示装置において、ミドルフレーム３の構造は、凸反りした液晶表示パネル１および凹反りした液晶表示パネル１が主に当接するモールドフレーム部３ｃをパネル受け部４と比べて低くすることで、液晶表示パネル１の凹凸両方の反りに対してもフロントフレーム２およびミドルフレーム３との干渉が低減され、フロントフレーム２およびミドルフレーム３から液晶表示パネル１に掛かる応力が低減される。これにより、表示品位の低下を緩和することができる。また、反っていない液晶表示パネル１の状態では、液晶表示パネル１とフロントフレーム２との隙間が従来の液晶表示装置の場合と同じであるため、面状光源装置からの漏れ光、外部からのゴミの侵入に対しては、従来構造と同等の性能を発揮することができる。
【００２６】
また、図２に示すように、モールドフレーム部３ｃにおいて短辺側の領域１２は、掘り込み深さを大きくすることで長辺側の領域よりも低い高さになるように形成されている。このように、モールドフレーム部３ｃの相対的な高さが、長辺側の領域よりも短辺側の領域１２の方が低くなるように形成されることで、凸反りした液晶表示パネル１の当接量を吸収することができる。また、ミドルフレーム３が樹脂製材料で形成されている場合、ミドルフレーム３において、短辺側の領域１２に対し強度を必要とする長辺側の領域の肉厚を厚くすることができ、液晶表示パネル１の当接量の吸収と、ミドルフレーム３の強度面とを両立させることができる。
【００２７】
以上のように、実施の形態１に係る液晶表示装置では、ミドルフレーム３において、液晶表示パネル１に凹反りまたは凸反りが生じた際に液晶表示パネル１と当接するモールドフレーム部３ｃは、複数のパネル受け部４よりも低い高さに形成されたため、液晶表示パネル１の凹凸両方の反りに対しても液晶表示パネル１と、フロントフレーム２およびミドルフレーム３との干渉が低減され、フロントフレーム２およびミドルフレーム３から液晶表示パネル１に掛かる応力が低減される。これにより、表示品位の低下を緩和することができる。
【００２８】
また、ミドルフレーム３においてモールドフレーム部３ｃを複数のパネル受け部４よりも低い高さに形成するだけで、表示品位の低下の緩和を図ることができるため、従来と同等の厚さの液晶表示装置を実現できる。
【００２９】
また、複数のパネル受け部４は、液晶表示パネル１を４つの長方形に分割したそれぞれの長方形の各重心位置Ｇが液晶表示パネル１の表示領域１０に含まれない場合、各重心位置Ｇに対応するミドルフレーム３上の位置の周辺領域に形成され、各重心位置Ｇが表示領域１０に含まれる場合、各重心位置Ｇから近接する液晶表示パネル１の辺まで延ばした垂直線上における表示領域１０の外周部に対応するミドルフレーム３上の位置の周辺領域１１に形成された。
【００３０】
したがって、液晶表示パネル１の凹凸両方の反りに対してフロントフレーム２およびミドルフレーム３との干渉を低減しながら、当接マージン（干渉の低減量）を最大化することができ、表示品位の低下をより緩和することができる。
【００３１】
また、モールドフレーム部３ｃにおいて、ミドルフレーム３の長辺側の領域よりもミドルフレーム３の短辺側の領域１２の方が低い高さに形成されたため、凸反りした液晶表示パネル１の当接量を吸収することができる。
【００３２】
また、パネル受け部４の先端部は、曲面を含む形状、すなわち、パネル受け部４における液晶表示パネル１との接触点に曲面を有する形状であるため、液晶表示パネル１に反りが生じた際にも、接触点における液晶表示パネル１の応力集中を緩和することができる。
【００３３】
また、パネル受け部４がミドルフレーム３と一体的に形成され、さらに、弾性スペーサなどを別途設けなくてもよいため、部品点数が増加することなく、組立工程の複雑化、製品分解性の低下を抑制できる。
【００３４】
液晶表示パネル１は、液晶表示パネル１を構成する部材である基板１３，１４の厚さと、偏光板の表示面側と反表示面側の厚さとの組み合わせによって反り方向および反り量が異なる。また、液晶表示装置の使用温度範囲によって、最低温度と最高温度での凹凸の反り量が異なることがある。例えば、図３（ａ）〜（ｃ）は、液晶表示パネル１において凸反りに比べ凹反りの反り量が大きい場合での液晶表示装置の表示領域外の断面図である。図３（ａ）〜（ｃ）に示すように、液晶表示パネル１において凸反りに比べ凹反りの反り量が大きい場合、パネル受け部４は、４つの長方形に分割したそれぞれの長方形の重心位置Ｇよりもミドルフレーム３の長手方向における外寄りに形成されることで、当接マージン（干渉の低減量）を最大化することができる。
【００３５】
＜変形例＞
次に、図４〜図６を用いて、実施の形態１の変形例に係る液晶表示装置について説明する。図４は、実施の形態１の変形例に係る液晶表示装置の液晶表示パネル１とミドルフレーム３の平面図であり、図５は、ミドルフレーム３の平面図であり、図６は、他の例である液晶表示装置の液晶表示パネル１とミドルフレーム３の平面図である。なお、図４〜図６ではミドルフレーム３の側板部３ｂは省略されている。
【００３６】
実施の形態１において図２は、液晶表示パネル１の外形に対して、表示領域１０がかなり内側に配置され、額縁領域（非表示領域）が広く強調された図となっている。これは、液晶表示パネル１の反りに対して、パネル受け部４を配置する理想的な位置である重心位置Ｇに対応するミドルフレーム３の保持面上の位置と比較的近い位置にパネル受け部４を配置した場合の例を説明するためである。
【００３７】
実際の液晶表示パネル１においては、図４と図６に示すように、入力端子１５が設けられる辺を除くと、液晶表示パネル１の外形と略同じ範囲に表示領域１０が設けられる。なお、図４は、二辺に入力端子１５が設けられる場合に対応する図であり、図６は、小型の液晶表示パネルにおいて用いられることの多い一辺のみに入力端子１５が設けられる場合に対応する図である。また、図示したとおり、入力端子１５が設けられる辺においては、入力端子１５が設けられるＴＦＴアレイ基板１４は、カラーフィルタ基板１３の外形に対して突出している。
【００３８】
上記のように、実施の形態１の変形例に係る液晶表示装置の液晶表示パネル１においては、パネル受け部４を配置する理想的な位置となる４つの長方形に分割したそれぞれの長方形の重心位置Ｇは、表示領域１０において、かなり内側に位置していることがわかる。さらに、図５に示すように、ミドルフレーム３において表示領域１０に対応する部分では、バックライト光を入射するための開口部１６が設けられていることから、パネル受け部４を上記の理想的な位置に設けることができない。
【００３９】
しかしながら、このような場合にも、図４と図６に示すように、各重心位置Ｇから近接する液晶表示パネル１の辺まで延ばした垂直線上における表示領域１０の外周部に対応するミドルフレーム３上の位置の周辺領域にパネル受け部４を形成することで、液晶表示パネル１における表示領域１０の配置に応じて最適化された位置にパネル受け部４を配置することができる。
【００４０】
これにより、液晶表示パネル１の凹凸両方の反りに対してフロントフレーム２およびミドルフレーム３との干渉を低減しながら、当接マージン（干渉の低減量）を最大化することができ、表示品位の低下をより緩和することができるという実施の形態１で得られる効果と同様の効果を得ることができる。
【００４１】
ここで、パネル受け部４が形成される当該重心位置Ｇより液晶表示パネル１の辺に延ばした垂線上の表示領域１０の外周部としては、図４と図６に示す位置以外に液晶表示パネル１の外形の長手方向(短辺に向かう方向)に垂線をおろした位置も選択できるが、長手方向の方が反りによる変位の絶対値が大きくなることから、長辺側へ向かう方向へ垂線を延ばした位置の方が上記の効果を最大化できる点で望ましい。
【００４２】
なお、モールドフレーム部３ｃにおいて短辺側の領域１２（掘り込み深さが大きい範囲）については、図４〜図６からわかるように、表示領域１０の配置にあまり影響を受けないことから、図２に示す領域１２とは、それほど変わらない位置に設けることができる。よって、実施の形態１の変形例に係る液晶表示装置では、実施の形態１に係る液晶表示装置で得られる効果と同様の効果を得ることができる。
【００４３】
＜実施の形態２＞
次に、実施の形態２に係る液晶表示装置について説明する。図７は、実施の形態２に係る液晶表示装置の表示領域外の要部断面図であり、図８〜図１０は、実施の形態２に係る液晶表示装置の他の例である液晶表示装置の表示領域外の要部断面図である。なお、実施の形態２において、実施の形態１で説明したものと同一の構成要素については同一符号を付して説明は省略する。
【００４４】
実施の形態１では、パネル受け部４はミドルフレーム３と一体的に突起状に形成されていたが、実施の形態２では、パネル受け部は種々の形状に形成されている。図７に示すパネル受け部２０は、ミドルフレーム３と別部材である弾性部材によって略半球形状（その先端部が曲面を含む形状）に形成されている。弾性部材としては、例えば、ゴムなどの弾性係数が小さな軟らかい材料が採用される。パネル受け部２０が弾性部材により形成されたため、液晶表示パネル１との接触部における液晶表示パネル１の応力集中を緩和することができ、表示品位の低下を防止できる。
【００４５】
図８に示すパネル受け部２１は、弾性部材によってその先端が平坦面に形成されるとともに角部にＲを有する形状に形成されている。また、図９に示すパネル受け部２２は、例えば金属材料または樹脂材料によって、その先端が平坦面に形成されるとともに角部はＲを有しない形状に形成されている。パネル受け部２１，２２の先端は平坦面に形成されたため、液晶表示パネル１が反ってない状態でも比較的広い面積の平坦面で保持されることで、接触部における液晶表示パネル１の応力集中を緩和することができる。
【００４６】
図１０に示すパネル受け部２３はバネ部材（弾性部材）により形成されている。パネル受け部２３はバネ部材により形成されたため、接触部における液晶表示パネル１の応力集中を緩和することができ、表示品位の低下を防止できる。
【００４７】
＜実施の形態３＞
次に、実施の形態３に係る液晶表示装置について説明する。図１１は、実施の形態３に係る液晶表示装置の表示領域外の要部断面図であり、図１２は、実施の形態３に係る液晶表示装置の他の例である液晶表示装置の表示領域外の要部断面図である。なお、実施の形態３において、実施の形態１で説明したものと同一の構成要素については同一符号を付して説明は省略する。
【００４８】
実施の形態３に係る液晶表示装置では、液晶表示パネル３０，３３において、複数のパネル受け部４と相対する位置に緩衝部材が配置されている。図１１に示すように、液晶表示パネル３０は、カラーフィルタ基板１３と、ＴＦＴアレイ基板１４と、ブラックマトリクス２９と、スペーサ３１と、液晶封止材（シール材）３２とを備えている。ブラックマトリクス２９は、主にカラーフィルタ基板１３の額縁領域の表面に設けられ、不要な光を遮光する遮光層である。また、スペーサ３１については、液晶封止材（シール材）３２の樹脂内に混入され、所定の径を有した球状または円筒棒状の部材で基板間距離を保持する。
【００４９】
液晶表示パネル３０において、対向する一対の基板１３，１４の間にはブラックマトリクス２９と、スペーサ３１および液晶封止材３２が配置されている。スペーサ３１および液晶封止材３２は、液晶表示パネル３０において複数のパネル受け部４と相対する位置に配置されている。複数のパネル受け部４に相対する位置に、スペーサ３１が混入された液晶封止材３２が配置されたため、複数のパネル受け部４との接触部における液晶表示パネル３０の応力集中を緩和することができる。特に、スペーサ３１および液晶封止材３２の材料を弾性変形可能な樹脂により構成することで、緩衝部材として有効に機能させることができる。また、基板１３，１４の間に設けられるブラックマトリクス２９についても、黒色顔料を混入した弾性変形可能な樹脂とすることで、同様に緩衝部材として有効に機能させ、上記応力集中の緩和作用を向上できることから、好ましい。
【００５０】
図１２に示すように、液晶表示パネル３３は、カラーフィルタ基板１３と、ＴＦＴアレイ基板１４と、ブラックマトリクス２９と、スペーサ３１と、液晶封止材３２と、柱状部材３４とを備えている。液晶表示パネル３３において、対向する一対の基板１３，１４の間にはブラックマトリクス２９と、スペーサ３１および液晶封止材３２が配置され、対向する一対の基板１３，１４の間であり、かつ、パネル受け部４に相対する位置には、弾性変形可能な樹脂より構成され、緩衝部材である複数の柱状部材３４がスペーサ３１を介して一定の間隔をあけて配置されている。
【００５１】
液晶表示パネル３０，３３において、複数のパネル受け部４と相対する位置に緩衝部材が配置されたため、パネル受け部４との接触点における応力集中を緩和することができ、応力集中による表示品位の低下を防止できる。
【００５２】
また、１つの液晶表示装置内で、図１１と図１２に示された構造を併設しても、上記と同様の効果を得ることができる。
【００５３】
なお、本発明は、その発明の範囲内において、各実施の形態を自由に組み合わせたり、各実施の形態を適宜、変形、省略することが可能である。
【符号の説明】
【００５４】
１，３０，３３  液晶表示パネル、２  フロントフレーム、３  ミドルフレーム、３ｃ  モールドフレーム部、４，２０，２１，２２，２３  パネル受け部、２９  ブラックマトリクス、３１  スペーサ、３２  液晶封止材、３４  柱状部材。
【図１】
2014085558.tif 000003
【図２】
2014085558.tif 000004
【図３】
2014085558.tif 000005
【図４】
2014085558.tif 000006
【図５】
2014085558.tif 000007
【図６】
2014085558.tif 000008
【図７】
2014085558.tif 000009
【図８】
2014085558.tif 000010
【図９】
2014085558.tif 000011
【図１０】
2014085558.tif 000012
【図１１】
2014085558.tif 000013
【図１２】
2014085558.tif 000014
【図１３】
2014085558.tif 000015